(57)【特許請求の範囲】
【請求項１】
ペダル効果を付与するために操作されるピアノのペダルであって、
底面の縁部が外側に凸の湾曲面で構成されるとともに、当該底面に、前後方向に延びかつ下方に開口した凹部が形成されていることを特徴とするピアノのペダル。
【発明の詳細な説明】
【０００１】
【発明の属する技術分野】
本発明は、アコースティックピアノや電子ピアノなどのピアノのペダルに関する。
【０００２】
【従来の技術】
図３は、従来のピアノのペダルを示す図であり、（ａ）は平面図、（ｂ）は同図（ａ）のＢ−Ｂ線断面図である。通常、ピアノの下部、すなわち演奏者の足下の位置には、同図（ａ）に示すように、複数のペダル３０，３０，３０が設けられており、ペダル箱３１から演奏者側に突出した状態で配置されている。これらのペダル３０を演奏中に踏み込み操作することにより、例えば音を長く響かせるなどのペダル効果を与えることができるようになっている。各ペダル３０は、同図（ｂ）に示すように、底面が平らの断面半月形に形成されており、床面より約６ｃｍ程度上の位置に設けられている。
【０００３】
【発明が解決しようとする課題】
このようなペダル３０を有するピアノの演奏者が、図４に示すような靴底の縁部３２が靴本体３３よりも外側に張り出した靴３４を履いてペダル３０を操作する場合、靴３４がペダル３０に引っかかってしまうおそれがある。すなわち、演奏者がペダル３０を踏み込もうとして、足先を床面から上げる際に、ペダル３０の底面の縁部３０ａに、靴底の縁部３２が引っかかってしまうことがある（図５参照）。このように、演奏中に靴３４がペダル３０に引っ掛かると、演奏者の集中力が阻害され、演奏に支障をきたしてしまう。
【０００４】
もちろん、演奏曲にあわせて、操作すべきペダル３０上に予め足先をのせておけば、ペダル３０に靴が引っかかるのを回避することは可能である。しかしこの場合には、かかとを床面においた状態で、足先をペダル３０上におくことになるため、足首を不自然な状態で曲げておかなければならない。このため、特に演奏時間の長い曲を演奏する場合には、足首に大きな負担がかかってしまう。
【０００５】
本発明は、以上のような課題を解決するためになされたものであり、演奏者が、靴底の縁部が外側に張り出した靴を履いてピアノを演奏する場合であっても、ペダルの操作時に、靴がペダルに引っ掛かるのを回避することができ、操作をスムーズに行うことができるピアノのペダルを提供することを目的とする。
【０００６】
【課題を解決するための手段】
本発明に係るピアノのペダルは、ペダル効果を付与するために操作されるピアノのペダルであって、底面の縁部が外側に凸の湾曲面で構成されるとともに、底面に、前後方向に延びかつ下方に開口した凹部が形成されていることを特徴とする。
【０００７】
この構成によれば、ペダルの底面の縁部が、外側に凸の湾曲面で構成されているので、演奏者が、靴底の縁部が外側に張り出した靴を履いてペダルを操作する場合であっても、靴がペダルに引っ掛かるのを回避することができる。すなわち、ピアノの演奏中にペダルを操作するために、足先を床面から上げる場合において、靴底の縁部がペダルの底面の縁部に接触するとしても、その接触部分を引っ掛かりなく、ペダルの底面の縁部の表面に沿って滑らせながら、足先を上げることができる。したがって、このように靴がペダルに引っ掛かるのを回避できるため、ペダルの操作をスムーズに行うことができ、演奏者の集中力を阻害することがない。また、ペダルの底面には、前後方向に延びかつ下方に開口した凹部が形成されているので、その分、ペダルの軽量化を図ることができる。
【０００８】
【発明の実施の形態】
以下、添付の図面を参照して、本発明の一実施形態に係るピアノのペダルについて説明する。図１は、グランドピアノのペダル部まわりを示す図である。ペダル部１は、図示しないピアノの下部に設けられている。すなわち、ペダル部１は、ピアノ本体の底面から垂下した１対のペダル柱２，２を介して吊り下げられており、演奏者の足下に位置するように配置されている。このペダル部１は、３つのペダル３，３，３と、これらのペダルの後側半部を収容するペダル箱４とを備えている。なお、詳述は省略するが、ペダル箱４内では、ペダル３を上から踏み込むことにより、全てのダンパー（図示せず）をピアノの弦から離したり、押鍵した鍵のダンパーを離鍵後にも止めておくための突揚ロッド（図示せず）の下端部が支持されている。
【０００９】
ペダル３，３，３は、図１（ａ）に示すように、いずれも前側半部１１がペダル箱４から演奏者側に突出した状態で、左右方向に相互に並べて配置されている。また同図（ｂ）および（ｃ）に示すように、各ペダル３の前側半部１１の上面１１ａは、左右両側に向かって緩やかに下るように湾曲している。同様に、上面１１ａの前端部１１ｂも湾曲している。各ペダル３の上面１１ａ（１１ｂ）をこのように形成することにより、かかとを床面においた状態で、ペダル３を踏み込み易くしている。
【００１０】
また、前側半部１１の左右両端部１２（前端部１１ｂも含む）は、外側に凸に湾曲しつつ、上記上面１１ａから水平の底面１３に連なっている。すなわち、底面１３の外側縁部（左右両端部１２および前端部１１ｂ、以下これらを「底面縁部１２」という）が外側に凸の湾曲面で構成されたものとなっている。さらに、左右の底面１３，１３の内側縁部が、ペダル３の前後方向に延びるように凹状形成された内底面１４（凹部）に連なっている。なお、各ペダル３に、このような内底面１４を形成しておくことにより、ペダルの軽量化を図ることができる。
【００１１】
ここで、図２を参照して、演奏者が靴を履いてペダル３を操作する場合のペダルと靴との関係について説明する。ピアノの演奏中にペダル３を操作する場合、演奏者はかかとを床面１５においた状態で、足先をペダル３の位置よりも若干高く上げ、所定のペダル３を上から踏み込む。この場合、演奏者の靴２１が、靴底の縁部２２が靴本体２３より外側に張り出したもの（図４参照）であり、ペダル３の操作前に、靴本体２３の側面がペダル３の側面に接する程に、足先をペダル３の極めて近い位置の床面１５においているときには、足先を上げようとすると、靴底の縁部２２が、ペダル３の底面縁部１２に接触する（図２（ａ）参照）。より具体的には、ペダル３の底面縁部１２の表面に、靴底の縁部２２の最外上端が接触する。
【００１２】
そして、足先を更に上げると、図２（ｂ）に示すように、靴底の縁部２２の接触部分は、ペダル３の底面縁部１２の表面に沿って滑りながら上方へ移動し、最終的には同図（ｃ）に示すように、底面縁部１２の表面から離れる。したがって、演奏者は、靴底の縁部２２をペダル３の底面縁部１２に引っ掛けることなく、足先を床面１５から上げることができる。
【００１３】
以上説明したように、本実施形態のペダル３は、その底面縁部１２が外側に凸の湾曲面で構成されているため、演奏者が、靴底の縁部２２が外側に張り出した靴を履いて、演奏中にペダル３を操作する場合であっても、靴２１がペダル３に引っ掛かることがない。このため、演奏中、ペダル３をスムーズに操作することができ、従来のような演奏者の集中力が阻害されるのを防止することができる。
【００１４】
【発明の効果】
以上説明したように、本発明のピアノのペダルによれば、演奏者が、靴底の縁部が外側に張り出した靴を履いてピアノを演奏する場合であっても、ペダルの操作時に、靴がペダルに引っ掛かるのを回避することができ、操作をスムーズに行うことができるなどの効果を奏する。
【図面の簡単な説明】
【図１】本発明の一実施形態に係るピアノのペダルのペダル部まわりを示す図であり、（ａ）は斜視図、（ｂ）は１ペダルの部分的平面図、（ｃ）は（ｂ）のＡ−Ａ線断面図である。
【図２】足先を床面から上げる際のペダルと靴と関係を、順次示す模式的断面図である。
【図３】従来のペダルまわりを示す図であり、（ａ）は平面図、（ｂ）は（ａ）のＢ−Ｂ線断面図である。
【図４】靴底の縁部が靴本体より外側に張り出した靴を示す平面図である。
【図５】靴底の縁部がペダルの底面に引っ掛かる場合を説明するための模式的断面図である。
【符号の説明】
１    ペダル部
３    ペダル
１２  底面縁部
２１  靴
２２  靴底の縁部
【図１】
0003616252.tif 000002
【図２】
0003616252.tif 000003
【図３】
0003616252.tif 000004
【図４】
0003616252.tif 000005
【図５】
0003616252.tif 000006